(57)【要約】【課題】テロップ装置やロゴジェネレータを不要化したマトリックススイッチャーを提供する。【解決手段】テレビジョン送出で動画信号と静止画信号とを切り替えるマトリックススイッチャーにおいて、静止画の情報を予め記憶しておくフレームメモリ（図１の４０）と、外部からの切替信号に応答して動画信号と静止画信号のいずれかを切り替えて外部へ出力する切替回路（図１の２１〜２３）とを設ける。通常は、リレー切替回路２１，２２，２３は切替信号４１，４２，４３に応答して、出力前信号３１−１，３２−１，３３−１を出力信号３１，３２，３３としている。出力先（図示省略）において出力信号３１，３２，３３のいずれかに異常が検出されると、対応する切替信号が有効化され、当該リレー切替回路は、前出力信号に代えて、テロップ信号Ｔを出力信号とする。この場合、他の出力信号に代わりはない。【選択図】        図１
2005033511.tif 000002
【特許請求の範囲】
【請求項１】
テレビジョン送出で動画信号と静止画信号とを切り替えるマトリックススイッチャーにおいて、
静止画の情報を予め記憶しておくフレームメモリと、
前記フレームメモリに記憶されている静止画の情報に基づく静止画信号と、動画信号のいずれかを外部からの切替信号により切り替えて外部へ出力する切替回路とを設けたことを特徴とするマトリックススイッチャー。
【請求項２】
テレビジョン送出で動画信号と静止画信号とを切り替えるマトリックススイッチャーにおいて、
静止画の情報を予め記憶しておくフレームメモリと、
それぞれが複数の動画信号を選択的に切り替えるスイッチと、
前記フレームメモリに記憶されている静止画の情報に基づく静止画信号と、前記スイッチからの動画信号のいずれかを外部からの切替信号により切り替えて外部へ出力する前記スイッチと１対１対応の切替回路とを設けたことを特徴とするマトリックススイッチャー。
【請求項３】
前記静止画はテロップ画面であることを特徴とする請求項１または請求項２に記載のマトリックススイッチャー。
【発明の詳細な説明】
【０００１】
【発明の属する技術分野】
本発明は、テレビジョン送出において動画信号と静止画信号とを切り替えるマトリックススイッチャーに関する。
【０００２】
【従来の技術】
テレビ送出において、ＶＴＲ、スタジオ等からの映像信号を送出時に、画面の乱れ等トラブルがあった場合、「現地からの画面が乱れています。しばらく、お待ち下さい」等のテロップを流すことがある。
【０００３】
このように映像信号とテロップ信号等とを切り替える従来のマトリックススイッチャーを図２に示す（文献公知発明でない）。図２において、３つのスイッチ１１，１２，１３は、それぞれがＶＴＲ、スタジオ等からの映像信号ａ〜ｄおよびテロップ装置５０から供給されるテロップ信号Ｔのいずれかを出力信号３１，３２，３３とする。映像信号ａ〜ｄまたはテロップ信号Ｔのラインと、出力信号３１，３２，３３のラインとはクロスポントで交差しており、適時に切り替えられてオンエアされる。なお、テロップ装置に代えてロゴジェネレータを使用することもある。
【０００４】
【発明が解決しようとする課題】
しかしながら、上述した従来技術では、テロップ装置やロゴジェネレータを常時スタンバイさせておかなければならないという問題点がある。
【０００５】
そこで、本発明は、テロップ装置やロゴジェネレータを不要化したマトリックススイッチャーを提供することにある。
【０００６】
【課題を解決するための手段】
本発明のマトリックススイッチャーは、テレビジョン送出で動画信号と静止画信号とを切り替えるマトリックススイッチャーにおいて、静止画の情報を予め記憶しておくフレームメモリと、フレームメモリに記憶されている静止画の情報に基づく静止画信号と、動画信号のいずれかを外部からの切替信号により切り替えて外部へ出力する切替回路とを設けたことを特徴とする。
【０００７】
より詳しくは、本発明のマトリックススイッチャーは、テレビジョン送出で動画信号（図１のａ〜ｄ）と静止画信号（図１のＴ）とを切り替えるマトリックススイッチャーにおいて、静止画の情報を予め記憶しておくフレームメモリ（図１の４０）と、それぞれが複数の動画信号を選択的に切り替えるスイッチ（図１の１１〜１３）と、フレームメモリに記憶されている静止画の情報に基づく静止画信号と、スイッチからの動画信号のいずれかを外部からの切替信号（図１の４１〜４３）により切り替えて外部へ出力するスイッチと１対１対応の切替回路（図１の２１１〜２３）とを設けたことを特徴とする。
【０００８】
【発明の実施の形態】
図１は本発明のマトリックススイッチャーの一実施例を示すブロック図である。このマトリックススイッチャーは、３つのスイッチ１１，１２および１３と、３つのリレー切替回路２１，２２および２３と、フレームメモリ４０とを有する。スイッチ１１，１２，１３と、リレー切替回路２１，２２，２３は１対１で対応している。
【０００９】
フレームメモリ４０は、外部から入力されるテロップ画面等の静止画情報Ａを予め記憶しており、例えばテロップ信号としてリレー切替回路２１，２２，２３に供給している。映像信号ａ〜ｄのラインと、出力前信号３１−１，３２−１，３３−１のラインとはクロスポントで交差しており、適時に切り替えられてリレー切替回路２１，２２，２３に入力する。
【００１０】
リレー切替回路２１は、切替信号４１に応答して、出力前信号３１−１とテロップ信号Ｔのいずれかを出力信号３１とし、リレー切替回路２２は、切替信号４２に応答して、出力前信号３２−１とテロップ信号Ｔのいずれかを出力信号３２とし、リレー切替回路２３は、切替信号４３に応答して、出力前信号３３−１とテロップ信号Ｔのいずれかを出力信号３３とする。
【００１１】
通常は、リレー切替回路２１，２２，２３は切替信号４１，４２，４３に応答して、出力前信号３１−１，３２−１，３３−１を出力信号３１，３２，３３としている。出力先（図示省略）において出力信号３１，３２，３３のいずれかに異常が検出されると、対応する切替信号が有効化され、当該リレー切替回路は、前出力信号に代えて、テロップ信号Ｔを出力信号とする。この場合、他の出力信号に代わりはない。
【００１２】
例えば、出力信号３１に異常があり、出力信号３２，３３に異常がない場合は、切替信号４１が有効化され、リレー切替回路２１はテロップ信号Ｔを出力信号３１とする。切替信号４２は有効化されず、リレー切替回路２２は出力前信号３２−１を出力信号３２とすることに変わりがなく、また、切替信号４３も有効化されず、リレー切替回路２３は出力前信号３３−１を出力信号３３とすることにも変わりがない。
【００１３】
なお、出力信号３１の異常が復旧すれば、切替信号４１は無効化され、リレー切替回路２１は、再び出力前信号３１−１を出力信号３１とすることになる。
【００１４】
【発明の効果】
本発明によれば、フレームメモリを設けて静止画情報を記憶せておき、異常発生時には通常の動画情報に代えて、フレームメモリの静止画情報を出力するようにしたため、テロップ装置やロゴジェネレータを不要化できるという効果を得ることができる。
【図面の簡単な説明】
【図１】本発明のマトリックススイッチャーの一実施例を示すブロック図
【図２】従来のマトリックススイッチャーの一例を示すブロック図
【符号の説明】
１１，１２，１３              スイッチ
２１，２２，２３              リレー切替回路
３１，３２，３３              出力信号
３１−１，３２−１，３３−１  出力前信号
４０                          フレームメモリ
４１，４２，４３              切替信号
５０                          テロップ装置
ａ，ｂ，ｃ，ｄ                映像信号
Ａ                            静止画情報
Ｔ                            テロップ信号
【図１】
2005033511.tif 000003
【図２】
2005033511.tif 000004